(57)【要約】【課  題】冷蔵庫で断熱箱体を上部断熱仕切壁と下部断熱仕切壁により、上から冷蔵室、冷凍室、野菜室に仕切るものもがある。しかし、通常冷蔵庫においては、冷蔵室と野菜室は、一本の冷気循環経路中に配置されるため、この冷蔵庫においては、最上部の冷蔵室と最下部の野菜室とを結ぶ通風ダクトを形成しなくてはならず、構造が複雑となってしまう。【解決手段】本発明は、断熱箱体１を上部断熱仕切壁２と下部断熱仕切壁３により、上から冷蔵室４、冷凍室５、野菜室６に仕切る冷蔵庫において、冷蔵室４の前面開口を開閉する扉７と、野菜室６の前面開口を開閉する扉１０と、下部断熱仕切壁３の内部に配置された金属部材２３とを備えることを特徴とする。【選択図】  図１
2004170028.tif 000002
【特許請求の範囲】
【請求項１】
断熱箱体（１）を上部断熱仕切壁（２）と下部断熱仕切壁（３）により、上から上部冷蔵温度帯室（４）、冷凍温度帯室（５）、下部冷蔵温度帯室（６）に仕切る冷蔵庫において、
前記上部冷蔵温度帯室（４）の前面開口を開閉する扉（７）と、
前記下部冷蔵温度帯室（６）の前面開口を開閉する扉（１０）と、
前記下部断熱仕切壁（３）の内部に配置された熱伝導性の高い熱伝部材（２３）とを備えることを特徴とする冷蔵庫。
【請求項２】
前記熱伝部材（２３）は、前記下部断熱仕切壁（３）の最前部ではなく最前部より奥方に配置されていることを特徴とする請求項１の冷蔵庫。
【請求項３】
断熱箱体（１）を上部断熱仕切壁（２）と下部断熱仕切壁（３）により、上から上部冷蔵温度帯室（４）、冷凍温度帯室（５）、下部冷蔵温度帯室（６）に仕切る冷蔵庫において、
前記上部冷蔵温度帯室（４）の前面開口を開閉する回転扉（７）と、
前記下部冷蔵温度帯室（４）の前面開口を開閉する引出扉（１０）と、
前記冷凍温度帯室（５）の奥方に設けられ、冷却器（１５）を備える冷却室（１３）と、
この冷却室（１３）に設けられ前記冷却室（１３）の冷気を前記上部冷蔵温度帯室（４）及び前記冷凍温度帯室（５）に循環させるための送風機（１６）と、
前記下部断熱仕切壁（３）の内部に配置された熱伝導性の高い熱伝部材（２３）とを備えることを特徴とする冷蔵庫。
【請求項４】
断熱箱体（１）を上部断熱仕切壁（２）と下部断熱仕切壁（３）により、上から上部冷蔵温度帯室（４）、冷凍温度帯室（５）、下部冷蔵温度帯室（６）に仕切る冷蔵庫において、
前記上部冷蔵温度帯室（４）の前面開口を開閉する回転扉（７）と、
前記下部冷蔵温度帯室（６）の前面開口を開閉する引出扉（１０）と、
前記冷凍温度帯室（５）の奥方に設けられ、冷却器（１５）を備える冷却室（１３）と、
この冷却室（１３）に設けられ前記冷却室（１３）の冷気を前記上部冷蔵温度帯室（４）及び前記冷凍温度帯室（５）に循環させるための送風機（１６）と、
前記冷却室（１３）の冷気を前記上部冷蔵温度帯室（４）に選択的に循環させるためのダンパー装置（２０）と、
前記下部断熱仕切壁（３）の内部に配置された熱伝導性の高い熱伝部材（２３）とを備えることを特徴とする冷蔵庫。
【請求項５】
前記上部冷蔵温度帯室（４）は冷蔵室であり、前記下部冷蔵温度帯室（６）は野菜室であることを特徴とする請求項１〜４のいずれか１項に記載の冷蔵庫。
【請求項６】
前記下部冷蔵温度帯室（６）は、前記上部冷蔵温度帯室（４）及び前記冷凍温度帯室（５）とは、独立した冷気循環路を備えることを特徴とする請求項１〜５のいずれか１項に記載の冷蔵庫。
【発明の詳細な説明】
【０００１】
【発明の属する技術分野】
本発明は、断熱箱体を上部断熱仕切壁と下部断熱仕切壁により、上から上部冷蔵温度帯室、冷凍温度帯室、下部冷蔵温度帯室に仕切る冷蔵庫に関する。
【０００２】
【従来の技術】
大型の冷蔵庫は、断熱箱体を上部仕切壁と下部断熱仕切壁により、上から冷蔵室（冷蔵温度帯室）、野菜室（冷蔵温度帯室）、冷凍室に仕切るものがある。
【０００３】
また、他の仕切り方として、断熱箱体を上部断熱仕切壁と下部断熱仕切壁により、上から冷蔵室（上部冷蔵温度帯室）、冷凍室（冷凍温度帯室）、野菜室（下部冷蔵温度帯室）に仕切るものもある。
【０００４】
冷却効率からすれば、冷凍温度帯の冷凍室の上下に冷蔵温度帯室を設けた後者の方が、外部にもれる熱量を低減できるため、効率が良い。
【０００５】
しかし、通常冷蔵庫においては、冷蔵室と野菜室は、一本の冷気循環経路中に配置されるため、後者の冷蔵庫においては、最上部の冷蔵室と最下部の野菜室とを結ぶ通風ダクトを形成しなくてはならず、構造が複雑となってしまう（特許文献参照）。
【０００６】
【特許文献】
特開平８−２４７６１２１号公報
【０００７】
【発明が解決しようとする課題】
本発明は、構造が簡単で冷却効率の良い冷蔵庫を提供することを目的とする。
【０００８】
【課題を解決するための手段】
本発明は、断熱箱体１を上部断熱仕切壁２と下部断熱仕切壁３により、上から冷蔵室４（上部冷蔵温度帯室）、冷凍室５（冷凍温度帯室）、野菜室６（下部冷蔵温度帯室）に仕切る冷蔵庫において、冷蔵室４の前面開口を開閉する扉７と、野菜室６の前面開口を開閉する扉１０と、下部断熱仕切壁３の内部に配置された金属部材２３（熱伝導性の高い熱伝部材）とを備えることを特徴とする。
【０００９】
更に、本発明は、前記金属部材は、前記下部断熱仕切壁３の最前部ではなく最前部より奥方に配置されていることを特徴とする。
【００１０】
また、本発明は、断熱箱体１を上部断熱仕切壁２と下部断熱仕切壁３により、上から冷蔵室４、冷凍室５、野菜室６に仕切る冷蔵庫において、上部冷蔵温度帯室４の前面開口を開閉する回転扉７と、野菜室４の前面開口を開閉する引出扉１０と、前記冷凍室５の奥方に設けられ、冷却器１５を備える冷却室１３と、この冷却室１３に設けられ前記冷却室１３の冷気を冷蔵室４及び前記冷凍室５に循環させるための送風機１６と、下部断熱仕切壁３の内部に配置された金属部材２３とを備えることを特徴とする。
【００１１】
更に本発明は、断熱箱体１を上部断熱仕切壁２と下部断熱仕切壁３により、上から冷蔵室４、冷凍室５、野菜室６に仕切る冷蔵庫において、冷蔵室４の前面開口を開閉する回転扉７と、野菜室６の前面開口を開閉する引出扉１０と、前記冷凍室５の奥方に設けられ、冷却器１５を備える冷却室１３と、この冷却室１３に設けられ前記冷却室１３の冷気を冷蔵室４及び冷凍室５に循環させるための送風機１６と、冷却室１３の冷気を冷蔵室４に選択的に循環させるためのダンパー装置２０と、下部断熱仕切壁３の内部に配置された金属部材２３とを備えることを特徴とする。
【００１２】
更に、本発明は、前記野菜室６（下部冷蔵温度帯室）は、冷蔵室４（前記上部冷蔵温度帯室））及び前記冷凍室５（冷凍温度帯室）とは、独立した冷気循環路を備えることを特徴とする。
【００１３】
【発明の実施の形態】
本発明の冷蔵庫の第１の実施形態を図１を用いて説明する。
【００１４】
図１は、冷蔵庫の断面図である。
【００１５】
冷蔵庫の本体は、前面が開口している断熱箱体１で構成されている。
【００１６】
断熱箱体１の内部空間は、略水平な２個の断熱仕切り壁２，３で、３個の空間に仕切られ、上部空間が冷蔵室６、中央部の空間が冷凍室７、また、下部空間が野菜室８となっている。
【００１７】
そして、冷蔵室６、冷凍室７および野菜室８の前面開口は、断熱扉７，８，９，１０で開閉自在に閉塞されている。
【００１８】
断熱扉７は回転扉であり、この扉７を開けると、冷蔵室４内の冷気は外部に漏れ出す。
【００１９】
断熱扉８，９は引出扉であり、この引出扉８，９を引き出すと、冷凍室５内の容器１１ａ，１１ｂも共に引き出される。この扉７を開けると、冷凍室５内に外部空気が流入するが、容器１１ａ，１１ｂ内の冷気は溜まったままである。この扉７を閉じると、冷凍室５内に流入した空気の大半は、再び押し出される。
【００２０】
断熱扉１０は引出扉であり、この引出扉１０を引き出すと、野菜室６内の容器１２も共に引き出される。この扉１０を開けると、野菜室６内に外部空気が流入するが、野菜容器１２内の冷気は溜まったままである。この扉１０を閉じると、野菜室６内に流入した空気の大半は、再び押し出される。
【００２１】
冷凍室５の奥方には、樹脂製の仕切り板１４が設けられている。この仕切り板１４により冷却室１３を仕切っている。この冷却室１３には、冷却器１５と送風機１６が配置されている。
【００２２】
１７は冷凍室用の冷気吹出し口である。１８は、冷凍室用戻り通風ダクトである。
【００２３】
１９は、冷蔵室６内に冷気を供給する冷蔵室用通風ダクトである。
【００２４】
２０は、冷蔵室６内に冷気を選択的に供給するためのダンパー装置である。冷却室１３の上部は、図示しない通風ダクトを介してダンパー装置２０のある冷蔵室用通風ダクト１９の下端部に連通している。
【００２５】
冷却室１３の冷気は、送風機１６により、冷凍室５に吹出されると共に、図示しないダクト及びダンパー装置２０及び冷蔵室用通風ダクト１９を介して、冷蔵室４に吹出される。
【００２６】
冷蔵室４に吹出された冷気は図示しない戻りダクトを介して冷却室１３の下部に戻る。また、冷凍室５に吹出された冷気は冷凍室用戻り通風ダクト１８を介して冷却室１３の下部に戻る。
【００２７】
断熱箱体１の後部下側には、機械室２１が形成され、この機械室２１には、圧縮機２２などが配置されている。この圧縮機２２は、前述の冷却器１５および図示しない凝縮器やキャピラリーチューブなどと共に冷凍サイクルを構成している。
【００２８】
２３は下部断熱仕切壁３の内部に配置された断面コ字型の伝熱用の金属部材である。この金属部材２３の上面は冷凍室５の底面部分に位置し、下面は野菜室６の上面部分に位置する。これにより、冷凍室５の冷熱が野菜室６に伝わり野菜室６が冷却される。また、この金属部材２３は、下部断熱仕切壁３の最前部ではなく最前部より奥方に配置されている。これは、下部断熱仕切壁３の最前部に配置すると、冷熱が野菜室ではなく外部に逃げてしまうからである。
【００２９】
この冷蔵庫において、圧縮機２２が稼働すると、イソブタン、ペンタンやプロパンなどの炭化水素系冷媒が冷凍サイクル内を循環して、冷却器１５の温度が低下する。
【００３０】
この冷却器１５が周囲の空気を冷却して冷気を生成し、この冷気が送風機１６により、図１で矢印に図示するように、冷凍室５に吹出されて循環し、冷凍室５を冷却する。
【００３１】
すなわち、送風機１６の稼働により、冷却室１３内の空気は冷却器１５により冷却されながら上昇する。
【００３２】
ダンパー装置２０が開いている場合、この冷気の大部分は、冷凍室用吹出し口１７より冷凍室５に流入し、この冷凍室５を冷却した後に冷凍室用戻り通風ダクト１８を介して冷却室１３の下部に戻ってくる。ダンパー装置２０が閉じている場合は、全ての冷気は、冷凍室５を循環する。
【００３３】
また、ダンパー装置２０が開いている場合、冷気の残りは、図示しない通風ダクトを介して冷蔵室用通風ダクト１９に流入し、冷蔵室６に流入し冷却した後に、図示しない通風ダクトを介して冷却室１３の下部に戻ってくる。
【００３４】
この様にして、冷却運転時には、冷却器１５からの冷気の循環により冷蔵室４と冷凍室５を冷却している。
【００３５】
そして、冷凍室５の冷熱は、金属部材２３を介して野菜室６に伝えられる。野菜室６は自然対流により全体的に冷却される。
なお、本実施形態では、野菜室６は自然対流により冷却したが、別に、空気強制循環用の送風機を野菜室の奥方に配置しても良い。
【００３６】
なお、上記実施形態においては、冷媒は炭化水素系冷媒が採用されているが、冷媒の種類は適宜選択可能で、フロンであることも可能である。
【００３７】
【発明の効果】
本発明の冷蔵庫によれば、冷凍温度帯室である冷凍室を、冷蔵温度帯室である冷蔵室と野菜室で上下に挟む構成となり冷却効率が向上する。しかも、野菜室の冷却を簡単な構成で行うことができる。
【図面の簡単な説明】
【図１】図１は第１の形態実施の冷蔵庫の断面図である。
【符号の説明】
１  断熱箱体、
２  上部断熱仕切壁、
３  下部断熱仕切壁、
４  冷蔵室（上部冷蔵温度帯室）、
５  冷凍室（冷凍温度帯室）、
６  野菜室（下部冷蔵温度帯室）、
７  扉（回転扉）、
８  扉（引出扉）、
９  扉（引出扉）、
１０  扉（引出扉）、
１３  冷却室、
１５  冷却器、
１６  送風機、
２０  ダンパー装置、
２３  金属部材（熱伝部材）。
【図１】
2004170028.tif 000003